(57)【特許請求の範囲】
【請求項１】
記録媒体に記録可能なラインヘッドと、
該ラインヘッドが取り付けられたヘッドボックスと、
該ヘッドボックスの底部の下面に当接されたギャップ調整カムと、
を備え、
前記ギャップ調整カムを回動させることにより前記ヘッドボックスが上下方向に微移動可能となっているインクジェット記録装置であって、
前記ギャップ調整カムが、記録媒体の進行方向に対して上流側に配設された上流側ギャップ調整カムと、下流側に配設された下流側ギャップ調整カムと、前記上流側ギャップ調整カム及び前記下流側ギャップ調整カムの間に配設された中央ギャップ調整カムと、からなり、
前記上流側ギャップ調整カム、下流側ギャップ調整カム及び中央ギャップ調整カムが、アーチ状に湾曲した前記ヘッドボックスの底部の下面に沿うように当接され、且つ同期されているインクジェット記録装置。
【請求項２】
前記ギャップ調整カムが連続曲線による偏芯カムである請求項１記載のインクジェット記録装置。
【請求項３】
前記ギャップ調整カムが多段式曲線による偏芯カムである請求項１記載のインクジェット記録装置。
【請求項４】
前記ギャップ調整カムを回動させる駆動機構が、段階的に切替え可能となっている請求項１〜３のいずれか一項に記載のインクジェット記録装置。
【請求項５】
前記ヘッドボックスの底部の下面にカムフォロアブラケットを介してカムフォロアーが設けられており、
前記ギャップ調整カムが前記カムフォロアーと連動するようになっている請求項１〜４のいずれか一項に記載のインクジェット記録装置。
【請求項６】
前記ギャップ調整カムの当接圧を調整可能な当接圧切替え機能を備えることを特徴とする、請求項１〜５のいずれか一項記載のインクジェット記録装置。
【発明の詳細な説明】
【技術分野】
【０００１】
本発明は、インクジェット記録装置に関し、更に詳しくは、ギャップの調整を高精度且つ簡便に行うことができるインクジェット記録装置に関する。
【背景技術】
【０００２】
記録媒体に対してラインヘッドを用いて記録するラインヘッド型のインクジェット記録装置が知られている。
かかるインクジェット記録装置においては、解像度等の品質の観点から、記録媒体とラインヘッドの下端との距離（以下「ギャップ」という。）をできるだけ近付けて記録（印字）することが好ましい。また、一方でギャップが小さ過ぎると装置や記録媒体の振動等により、ラインヘッドと記録媒体とが接触する恐れがある。このため、振動幅等を見込んだ量のギャップの調整を行う必要がある。
【０００３】
ところで、記録媒体には様々なものがあり、求められる記録物の品質も一様ではない。したがって、記録する記録媒体の材質や厚み、また記録媒体に対する記録条件が変わる度に、それに応じてラインヘッドと記録媒体とのギャップを調整することが望ましい。
ところが、一般には条件毎の精密なギャップ調整は難しいので、全ての条件に共通して使用が可能な位置にラインヘッドを位置決めして使用されている。そのために現状では条件毎のより精密なギャップ調整による高品質な記録媒体の仕上り（見当、発色状態、シャープ度合等）を犠牲にした構成となっている。
【０００４】
例えば、ラインヘッドを上下移動させる装置としては、連続用紙の走行方向に対してその幅方向に移動可能にした移動基板と、この移動基板に対して水平方向と上下方向に揺動調整可能に支持した姿勢調整板と、姿勢調整板に対して所定のストロークにわたって上下動可能に設けた制御装置基台と、を有し、制御装置基台にノズルヘッドを設けた制御装置の筺体を固定したインクジェット記録装置が知られている（例えば、特許文献１参照）。
かかるインクジェット記録装置においては、シリンダ装置により、制御装置基台が上下移動し、制御装置基台側の２ヶ所に固定されたラインヘッドの高さ調整用の当接部品と、姿勢調整板側に２ヶ所設けられたネジ式のラインヘッドの高さ調整部材のネジ部品に、制御装置基台側の当接部品が当接することでラインヘッドの高さ方向位置が決まる構成となっている。そして、ネジ部品のロック機構を解除しネジを回動操作することで当接位置が変化し、適正高さに調整後に再度ロック機構を作動させることでラインヘッドの高さが決まるような構成となっている。
【先行技術文献】
【特許文献】
【０００５】
【特許文献１】特開２００５−３２４３２８号公報
【発明の概要】
【発明が解決しようとする課題】
【０００６】
しかしながら、上記特許文献１記載のインクジェット記録装置は、高さ調整機構は備えているものの、ネジを回動操作するものであり、そのロック機構もナットを回動操作して行うものであり、調整のためには工具も必要とし、印刷作業中に高精度且つ短時間でギャップ調整を行うことを意図したものではない。
【０００７】
本発明は、上記事情に鑑みてなされたものであり、ギャップの調整を高精度且つ簡便に行うことができるインクジェット記録装置を提供することを目的とする。
【課題を解決するための手段】
【０００８】
本発明者らは、上記課題を解決するため鋭意検討したところ、ギャップ調整カムを用いてヘッドボックスを上下移動させることにより、上記課題を解決し得ることを見出し、本発明を完成するに至った。
【０００９】
すなわち、本発明は、（１）記録媒体に記録可能なラインヘッドと、該ラインヘッドが取り付けられたヘッドボックスと、該ヘッドボックスの底部の下面に当接されたギャップ調整カムと、を備え、ギャップ調整カムを回動させることによりヘッドボックスが上下方向に微移動可能となっているインクジェット記録装置であって、ギャップ調整カムが、記録媒体の進行方向に対して上流側に配設された上流側ギャップ調整カムと、下流側に配設された下流側ギャップ調整カムと、上流側ギャップ調整カム及び前記下流側ギャップ調整カムの間に配設された中央ギャップ調整カムと、からなり、上流側ギャップ調整カム、下流側ギャップ調整カム及び中央ギャップ調整カムが、アーチ状に湾曲したヘッドボックスの底部の下面に沿うように当接され、且つ同期されているインクジェット記録装置に存する。
【００１０】
本発明は、（２）ギャップ調整カムが連続曲線による偏芯カムである上記（１）記載のインクジェット記録装置に存する。
【００１１】
本発明は、（３）ギャップ調整カムが多段式曲線による偏芯カムである上記（１）記載のインクジェット記録装置に存する。
【００１２】
本発明は、（４）ギャップ調整カムを回動させる駆動機構が、段階的に切替え可能となっている上記（１）〜（３）のいずれか一つに記載のインクジェット記録装置に存する。
【００１４】
本発明は、（５）ヘッドボックスの底部の下面にカムフォロアブラケットを介してカムフォロアーが設けられており、ギャップ調整カムがカムフォロアーと連動するようになっている上記（１）〜（４）のいずれか一つに記載のインクジェット記録装置に存する。
【００１５】
本発明は、（６）ギャップ調整カムの当接圧を調整可能な当接圧切替え機能を備える上記（１）〜（５）のいずれか一つに記載のインクジェット記録装置に存する。
【発明の効果】
【００１６】
本発明のインクジェット記録装置においては、ギャップ調整カムを備え、該ギャップ調整カムの回動に基づいて、ヘッドボックスを上下方向に微移動させることにより、ギャップの調整を高精度且つ簡便に行うことができる。
また、ヘッドボックス周辺の部品構成を少なくすることができるので、インクジェット記録装置の小型化、軽量化が図れる。
【００１７】
このとき、ギャップ調整カムが多段式の形状を有し、段階的に切替えが可能となっている場合、ラインヘッドと記録媒体とのギャップを変更する際に、ヘッドボックスの位置固定が容易となる。
また、ギャップ調整カムが連続曲線による偏芯カムである場合、ラインヘッドと記録媒体とのギャップの微調整をより高精度に行うことができる。
【００１８】
本発明のインクジェット記録装置においては、上流側ギャップ調整カム、下流側ギャップ調整カム及び中央ギャップ調整カムが、アーチ状に湾曲したヘッドボックスの底部の下面に沿うように当接され、且つ同期されている場合、アーチ状のままヘッドボックスを傾かせずに昇降移動させることができる。
【００１９】
本発明のインクジェット記録装置においては、ヘッドボックスの底部の下面にカムフォロアブラケットを介してカムフォロアーが設けられており、ギャップ調整カムがカムフォロアーと連動するようになっている場合、ギャップ調整カムが回動すると、カムフォロアーを介して、ヘッドボックスが上下方向に微移動する。この場合、ヘッドボックスをスムーズに微移動させることができる。
【００２０】
本発明のインクジェット記録装置においては、ギャップ調整カムの当接圧を調整可能な当接圧切替え機能を備える場合、インクジェット記録稼働中であってもヘッドボックスを微移動させることが可能となる。
【図面の簡単な説明】
【００２１】
【図１】図１は、本発明に係るインクジェット記録装置の一実施形態を示す正面図である。
【図２】図２は、本実施形態に係るインクジェット記録装置のインクジェット記録ヘッド部を示す正面図である。
【図３】図３は、本実施形態に係るインクジェット記録装置のギャップ調整カムを示す拡大図である。
【図４】図４は、本実施形態に係るインクジェット記録装置においてヘッドボックスとギャップ調整カムとがカムフォロアーを介して当接されている状態を示す概略図である。
【図５】図５は、本実施形態に係るインクジェット記録装置のギャップ調整カムの配置状態を説明するための上面概略図である。
【図６】図６の（ａ）及び（ｂ）は、本実施形態に係るインクジェット記録装置に用いられる駆動機構の例を示す概略図である。
【図７】図７は、他の実施形態に係るインクジェット記録装置のギャップ調整カムを示す拡大図である。
【発明を実施するための形態】
【００２２】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２３】
図１は、本発明に係るインクジェット記録装置の一実施形態を示す正面図である。
図１に示すように、本実施形態に係るインクジェット記録装置１００は、記録媒体１に記録するためのラインヘッドが取り付けられたヘッドボックスを有するインクジェット記録ヘッド部１０と、該インクジェット記録ヘッド部１０の下方に位置し、記録後の記録媒体１を加熱乾燥する乾燥機３と、記録媒体１を案内する複数の案内ロール２とを備える。すなわち、インクジェット記録装置１００は、ラインヘッドを有するラインヘッドタイプのインクジェット記録装置である。
【００２４】
インクジェット記録装置１００においては、搬入された記録媒体１が、案内ロール２により案内され、インクジェット記録ヘッド部１０の下に到達する。そして、インクジェット記録ヘッド部１０に備わったラインヘッドによって記録媒体１が記録される。
記録された記録媒体１は、別の案内ロール２に案内されて乾燥機に到達し、乾燥される。その後、別の案内ロール２に案内されて乾燥された記録媒体１が当該装置の外方に搬出されることになる。
【００２５】
図２は、本実施形態に係るインクジェット記録装置のインクジェット記録ヘッド部を示す正面図である。
図２に示すように、インクジェット記録ヘッド部１０は、記録媒体に記録可能な４個のラインヘッド２０，２１，２２，２３（以下「２０〜２３」という。）と、これらのラインヘッド２０〜２３が取り付けられたヘッドボックス１１と、該ヘッドボックス１１の両端に設けられたヘッドボックスブラケット１２と、該ヘッドボックスブラケット１２を介してヘッドボックス１１を昇降移動させるエアシリンダ１３と、を備える。
インクジェット記録装置１００においては、ラインヘッド２０〜２３を４個有するので、４色を用いた記録が可能である。例えば、Ｙ、Ｍ、Ｃ、Ｋを用いることにより、フルカラーでの記録が可能である。
【００２６】
上記ヘッドボックス１１は、底部１１ｂと、底部１１ｂをカバーする筐体１１ａとからなる。また、底部１１ｂは、ラインヘッド２０〜２３を支持する底板１８ａと、底板１８ａに設けられた窓部１８ｂとからなる。なお、ラインヘッド２０〜２３から吐出されたインクは、該窓部１８ｂを通過して記録媒体１に記録されることになる。
ここで、ヘッドボックス１１の底部１１ｂは、ゆるやかなアーチ状に湾曲している。このため、ラインヘッドを好適な設置条件にて設置することができるという利点がある。
【００２７】
上記エアシリンダ１３は、インクジェット記録装置１００の本体フレーム５に設けられたスライドブラケット１７に固定されている。したがって、インクジェット記録装置１００においては、エアシリンダ１３のピストン杆の昇降移動に基づいて、インクジェット記録ヘッド部１０が本体フレーム５に対して昇降移動するようになっている。これにより、例えば、非記録時にはヘッドボックス１１を上昇位置に移動させ、記録時にはヘッドボックス１１を下降位置に移動させる等、ヘッドボックス１１を大きく昇降移動させることができる。
【００２８】
ここで、インクジェット記録装置１００は、ギャップ調整カム３０〜３２の当接圧を調整可能とするため、エアシリンダ１３にリリース弁を設ける等の当接圧切替え機能を備えることが好ましい。具体的には、エアシリンダ１３のエアー供給部が所定圧以上になるとエアー供給部に供給されるエアーがリリースされるリリース弁を設けることが好ましい。ギャップ調整時にカムへの負担を低減した状態とすることにより、インクジェット記録稼働中であってもヘッドボックス１１を容易に微移動させることが可能となる。
【００２９】
インクジェット記録装置１００においては、ヘッドボックス１１の底部１１ｂの下面に沿うように、複数のギャップ調整カム３０，３１，３２（以下「３０〜３２」という。）が後述するカムフォロアーを介して当接されている。
【００３０】
ここで、ギャップ調整カム３０〜３２は、記録媒体１の進行方向に対して上流側に配設された一対のギャップ調整カム（以下便宜的に「上流側ギャップ調整カム」ともいう。）３０と、下流側に配設された一対のギャップ調整カム（以下便宜的に「下流側ギャップ調整カム」ともいう。）３２と、上流側ギャップ調整カム３０及び下流側ギャップ調整カム３２の間に配設された一対のギャップ調整カム（以下便宜的に「中央ギャップ調整カム」ともいう。）３１と、からなる。
【００３１】
上流側ギャップ調整カム３０、中央ギャップ調整カム３１及び下流側ギャップ調整カム３２は、いずれも同じ扇形の形状となっている。
図３は、本実施形態に係るインクジェット記録装置のギャップ調整カムを示す拡大図である。
図３に示すように、上流側ギャップ調整カム（ギャップ調整カム）３０は、後述する第１カム軸３０ａに固定された連続曲線による偏芯カムであり、且つ径Ｈ１＞径Ｈ２となるように一端から他端に向かうにつれて徐々に径が小さくなる形状を有している。このとき、径Ｈ１と径Ｈ２との差は、例えば０．５ｍｍ程度に設定することが好ましい。なお、中央ギャップ調整カム３１及び下流側ギャップ調整カム３２も同じ形状であるため、これらの説明は省略する。
【００３２】
図４は、本実施形態に係るインクジェット記録装置においてヘッドボックスと上流側ギャップ調整カムとがカムフォロアーを介して当接されている状態を示す概略図である。
図４に示すように、インクジェット記録装置１００においては、ヘッドボックス１１の底部１１ｂ（底板１８ａ）の下面にカムフォロアブラケット３６を介してカムフォロアー３７が設けられている。
一方、上流側ギャップ調整カム３０は、第１カム軸３０ａに取り付けられている。
そして、上流側ギャップ調整カム３０がカムフォロアー３７に当接されると、両者は連動するようになっている。すなわち、上流側ギャップ調整カム３０が回動すると、それに応じてカムフォロアー３７が回動するようになっている。なお、中央ギャップ調整カム３１及び下流側ギャップ調整カム３２にも同様に、カムフォロアーが設けられている。
【００３３】
インクジェット記録装置１００においては、ギャップ調整カム３０〜３２が回動すると、各カムフォロアーを介して、ヘッドボックス１１が上下方向に微移動する。このため、アーチ状のヘッドボックスを傾かせず且つスムーズに微移動させることができる。
【００３４】
図５は、本実施形態に係るインクジェット記録装置のギャップ調整カムの配置状態を説明するための上面概略図である。
図５に示すように、ギャップ調整カムは、第１カム軸３０ａの両端に一対の上流側ギャップ調整カム３０が設けられ、第２カム軸３１ａの両端に一対の中央ギャップ調整カム３１が設けられ、第３カム軸３２ａの両端に一対の下流側ギャップ調整カム３２が設けられている。また、第１カム軸３０ａ、第２カム軸３１ａ及び第３カム軸３２ａは、本体フレーム３５に支持されている。
【００３５】
そして、第１カム軸３０ａ、第２カム軸３１ａ及び第３カム軸３２ａは、駆動機構（変速ギア等）及び駆動モーターＭにより同期された状態で回動可能となっている。また、駆動モーターＭはコントローラＣで制御されている。
【００３６】
図６の（ａ）及び（ｂ）は、本実施形態に係るインクジェット記録装置に用いられる駆動機構の例を示す概略図である。
図６の（ａ）に示すように、駆動機構として、例えば、無段階切替えの場合、ウォームホイール４１及びウォーム４１ａの組合せが用いられる。ウォームホイール４１は、第１カム軸３０ａ、第２カム軸３１ａ又は第３カム軸３２ａに取り付けられる。
ここで、第１カム軸３０ａ、第２カム軸３１ａ及び第３カム軸３２ａは、ウォーム４１ａにより同期されているので、ギャップ調整カム３０〜３２は同時に回動する。
【００３７】
一方、図６の（ｂ）に示すように、駆動機構として、例えば、２位置切替えの場合、エアシリンダ（以下便宜的に「カム用エアシリンダ」という。）４２が用いられる。カム用エアシリンダ４２は、第１カム軸３０ａ、第２カム軸３１ａ又は第３カム軸３２ａに取り付けられる。そして、カム用エアシリンダ４２のピストン杆の直動機構は、カム軸の回動機構に変換されるようになっている。また、カム用シリンダ４２のピストン杆の直動運動が押し位置又は引き位置の２位置で位置決めされるように、インクジェット記録装置１００に第１ストッパー４４及び第２ストッパー４５が設けられる。すなわち、カム用シリンダ４２のピストン杆の摺動に基づいて、カム軸が回動し、該ピストン杆が第１ストッパー４４又は第２ストッパー４５に当接されることで、カム軸の回動が停止される。
【００３８】
なお、記録媒体が厚紙、薄紙の所定の厚さに限定された２種類の寸法に切り替わり、その他の印刷条件が変化しない場合等には、この２位置切替え方式とすることが可能である。この場合、ギャップ調整カムは図３のような連続曲線による偏芯カムでもよいし、２段階の切替え高さを有する段階的な偏芯カムでもよい。
【００３９】
インクジェット記録装置１００においては、制御されたモーター等による駆動機構を選択することによって、ギャップ調整カム３０〜３２の回動を無段階で制御することも可能であり、又、段階的に切替えることも可能である。なお、段階的に切替える場合、予め規定された数種類の高さ位置で切替え使用することとなり、連続的な微調整はできないが、規定高さに間違いなく切替え設定することが容易となる。ラインヘッド２０〜２３と記録媒体１とのギャップを変更する際のヘッドボックス１１の位置を予め規定された位置に一挙に切替えることができる。
【００４０】
本実施形態に係るインクジェット記録装置１００において、記録媒体１は、案内ロール２ａに案内され、インクジェット記録ヘッド部１０と、各カム軸３０ａ，３１ａ，３２ａとの間を通るようになっている。このとき、アーチ状に湾曲したヘッドボックス１１の底部１１ｂに沿うように、記録媒体１もアーチ状に湾曲したルートを通るようになっている。このため、インクジェット記録装置１００においては、記録媒体１に適当なテンションを掛けることができるので、記録媒体１への皴の発生や機械による記録媒体１の振動を少なくすることができるという利点がある。なお、ヘッドボックス１１の底部１１ｂと記録媒体１との距離、すなわちギャップの大きさは、０．５〜１ｍｍに設定することが好ましい。
【００４１】
次に、ギャップの調整方法について説明する。
まず、記録媒体やインクジェットの記録条件を変更し、記録する記録媒体の材質や厚み、また記録媒体に対する記録条件に応じてギャップを設定する。
そして、例えば、駆動機構として、例えば、ウォームホイール４１及びウォーム４１ａの組合せを用いる場合、コントローラＣを用い、コントローラＣからの駆動信号により、駆動モーターＭが駆動機構を駆動させる。そうすると、第１カム軸３０ａ、第２カム軸３１ａ及び第３カム軸３２ａが同期されて回動し、それに基づいて、各カム軸に取り付けられたギャップ調整カム３０〜３２も回動し、それに当接された各カムフォロアー３７を介してヘッドボックス１１が上下方向に微移動するようになる。これにより、ギャップの調整を高精度且つ簡便に行うことができる。なお、ギャップ調整カム３０〜３２の回動停止位置についても、コントローラＣにより制御される。
【００４２】
また、駆動機構として、例えば、カム用エアシリンダ４２を用いる場合、コントローラからの駆動信号により、カム用エアシリンダ４２にエアーを供給する。そうすると、ピストン杆の摺動移動に基づいて、第１カム軸３０ａ、第２カム軸３１ａ及び第３カム軸３２ａが回動する。それに基づいて、各カム軸に取り付けられたギャップ調整カム３０〜３２も回動し、それに当接された各カムフォロアー３７を介してヘッドボックス１１が上下方向に微移動するようになる。これにより、ギャップの調整を高精度且つ簡便に行うことができる。なお、ピストン杆がストッパーに当接されることにより、ギャップ調整カム３０〜３２の回動が停止される。
【００４３】
以上、本発明の実施形態について説明したが、本発明は上記実施形態に限定されるものではない。
【００４４】
例えば、本実施形態に係るインクジェット記録装置１００においては、記録後の記録媒体１を加熱乾燥する乾燥機３を備えているが、これに限定されない。例えば、記録媒体に記録後、別体の乾燥機で乾燥させてもよい。
【００４５】
本実施形態に係るインクジェット記録装置１００は、１台に限らず、複数台、配列されていてもよい。例えば、第１のインクジェット記録装置１００で記録媒体の表面を記録し、第２のインクジェット記録装置１００で記録媒体の裏面を記録してもよい。
【００４６】
本実施形態に係るインクジェット記録装置１００においては、４個のラインヘッドを有しているが、１〜３個であってもよく、５個以上であってもよい。なお、各ラインヘッドに注入されるインクの色は特に限定されない。また、インクは、染料や顔料等でもよく、艶出し剤、防炎剤等の薬剤であってもよい。さらに、水性、油性を問わない。
【００４７】
本実施形態に係るインクジェット記録装置１００においては、ヘッドボックス１１の底部１１ｂがアーチ状に湾曲しているが、形状はこれに限定されるものではない。
【００４８】
本実施形態に係るインクジェット記録装置１００においては、ギャップ調整カムが合計６基設けられているが、これに限定されず、ヘッドボックスの大きさに応じて自由に増減させればよい。
【００４９】
本実施形態に係るインクジェット記録装置１００においては、ギャップ調整カム３０〜３２が、カムフォロアー３７を介してヘッドボックス１１の底部１１ｂに当接されているが、敢えてカムフォロアー３７を介さず、直接、ギャップ調整カムをヘッドボックスの底部に当接してもよい。
【００５０】
本実施形態に係るインクジェット記録装置１００において、ギャップ調整カムの形状が扇形となっているが、これに限定されるものではない。
【００５１】
また、ギャップ調整カム３０〜３２は、連続曲線による偏芯カムとなっているが、多段式曲線による偏芯カムであってもよい。
図７は、他の実施形態に係るインクジェット記録装置のギャップ調整カムを示す拡大図である。
図７に示すように、ギャップ調整カム３３は、多段式曲線による偏芯カムであり、円周上に一定径の領域を備え、径Ｈ３＞径Ｈ４、及び、径Ｈ４＞径Ｈ５となった３段式の形状を有している。
この多段式曲線の偏芯カムを用いた場合は、連続的な微調整ができないかわりに規定寸法に間違いなく容易にギャップ設定を行うことが可能となる。なお、２段式の場合は、上述の駆動機構として、カム用エアシリンダを用いると好適である。
【００５２】
本実施形態に係るインクジェット記録装置１００に用いられる記録媒体１は、紙、フィルム、金属箔等、特に限定されない。
【産業上の利用可能性】
【００５３】
本発明のインクジェット記録装置は、記録媒体にインクジェット方式により記録する装置として利用できる。かかるインクジェット記録装置によれば、ギャップの調整を高精度且つ簡便に行うことができるので、最適の記録条件で記録物の生産が可能であり、精度向上、生産効率向上、品質の安定化、調整時間の削減等、多面的な効果を得ることができる。
【符号の説明】
【００５４】
１・・・記録媒体
２，２ａ・・・案内ロール
３・・・乾燥機
５・・・本体フレーム
１０・・・インクジェット記録ヘッド部
１１・・・ヘッドボックス
１１ａ・・・筐体
１１ｂ・・・底部
１２・・・ヘッドボックスブラケット
１３・・・エアシリンダ
１７・・・スライドブラケット
１８ａ・・・底板
１８ｂ・・・窓部
２０，２１，２２，２３・・・ラインヘッド
３０・・・上流側ギャップ調整カム（ギャップ調整カム）
３０ａ・・・第１カム軸（カム軸）
３１・・・中央ギャップ調整カム（ギャップ調整カム）
３１ａ・・・第２カム軸（カム軸）
３２・・・下流側ギャップ調整カム（ギャップ調整カム）
３２ａ・・・第３カム軸（カム軸）
３３・・・ギャップ調整カム
３６・・・カムフォロアブラケット
３７・・・カムフォロアー
４１・・・ウォームホイール
４１ａ・・・ウォーム
４２・・・カム用エアシリンダ
４４・・・第１ストッパー
４５・・・第２ストッパー
１００・・・インクジェット記録装置
Ｃ・・・コントローラ
Ｈ１，Ｈ２，Ｈ３，Ｈ４，Ｈ５・・・径
Ｍ・・・駆動モーター
【図１】
0005523235.tif 000002
【図２】
0005523235.tif 000003
【図３】
0005523235.tif 000004
【図４】
0005523235.tif 000005
【図５】
0005523235.tif 000006
【図６】
0005523235.tif 000007
【図７】
0005523235.tif 000008